(57)【要約】【課題】ディスクから再生されて画面表示される項目選択のハイライト色や字幕の文字色が、ユーザの好みに応じてディスクに記述された規定色から変わるようにして、項目選択のハイライト色や字幕の文字色の表示性能を向上する。【解決手段】ユーザが操作設定した色情報を指定色情報としてメモリ１４に保持し、ディスク２の再生時、ディスク２の再生信号をデコードして得られた記録情報に含まれた項目選択のハイライト色、字幕の文字色の少なくともいずれか一方の色情報をＤＶＤ管理情報解析部１３によって検出し、ＤＶＤ再生制御部７により、検出した色情報をメモリ１４の指定色情報に置換し、ディスク２から再生されて画面表示される項目選択のハイライト色や字幕の文字色の少なくともいずれか一方を、ユーザの好みに応じてディスクに記述された規定色から変える。【選択図】図１
2008199401.tif 000002
【特許請求の範囲】
【請求項１】
ＤＶＤビデオ形式で記録されたディスクを再生する映像再生装置において、前記ディスクの再生信号から前記ディスクの記録情報をデコードするデコーダと、前記記録情報から映像信号を再生する映像再生処理手段と、前記記録情報に含まれた項目選択のハイライト色、字幕の文字色の少なくともいずれか一方の色情報を検出する色検出手段と、操作設定された項目選択のハイライト色、字幕の文字色の少なくともいずれか一方の色情報を指定色情報として書き換え自在に保持する指定色記憶手段と、前記色検出手段が検出した色情報を前記指定色記憶手段の前記指定色情報に置換し、前記映像信号の前記項目選択のハイライト色、前記字幕の文字色少なくともいずれか一方を前記指定色情報の色に制御する色置換手段とを備えたことを特徴とする映像再生装置。
【請求項２】
ＤＶＤビデオ形式で記録されたディスクを再生する映像再生装置において、前記ディスクの再生信号から前記ディスクの記録情報をデコードするデコーダと、前記記録情報から映像信号を再生する映像再生処理手段と、前記記録情報に含まれた項目選択のハイライト色、字幕の文字色の少なくともいずれか一方の色情報を検出する色検出手段と、前記記録情報に含まれたサブピクチャの背景画の色情報から背景画色を判定し、前記背景画色に対して予め設定された目立つ色の指定色情報を決定する指定色決定手段と、前記色検出手段が検出した色情報を前記指定色決定手段が決定した前記指定色情報に置換し、前記映像信号の前記項目選択のハイライト色、前記字幕の文字色の少なくともいずれか一方を前記指定色情報の色に制御する色置換手段とを備えたことを特徴とする映像再生装置。
【請求項３】
ＤＶＤビデオ形式で記録されたディスクの再生時に、前記ディスクの再生信号から記録情報をデコードし、前記記録情報に含まれた項目選択のハイライト色、字幕の文字色の少なくともいずれか一方の色情報を検出し、検出した色情報を指定色記憶手段に書き換え自在に保持された指定色情報に置換し、前記記録情報から再生される映像信号の前記項目選択のハイライト色、字幕の文字色の少なくともいずれか一方を前記指定色情報の色に制御することを特徴とする映像再生装置の表示色制御方法。
【請求項４】
ＤＶＤビデオ形式で記録されたディスクの再生時に、前記ディスクの再生信号から記録情報をデコードし、前記記録情報に含まれた項目選択のハイライト色、字幕の文字色の少なくともいずれか一方の色情報を検出し、前記記録情報に含まれたサブピクチャの背景画の色情報から背景画色を判定し、前記背景画色に対して予め設定された目立つ色の指定色情報を決定し、検出した色情報を前記指定色情報に置換して前記記録情報から再生される映像信号の前記項目選択のハイライト色、前記字幕の文字色の少なくともいずれか一方を前記指定色情報の色に制御することを特徴とする映像再生装置の表示色制御方法。
【発明の詳細な説明】
【技術分野】
【０００１】
本発明は、ＤＶＤビデオ形式で記録されたディスクを再生する映像再生装置及び該装置の表示色制御方法に関し、詳しくは、ディスクから再生してデコードされた記録情報の項目選択のハイライト色や字幕の文字色の制御に関する。
【背景技術】
【０００２】
従来、映画やスポーツ記録等の映像・音声がＤＶＤビデオ（ＤＶＤ−Ｖｉｄｅｏ）形式（規格）で記録されたＤＶＤやＣＤ等の種々のディスクが市販されている。
【０００３】
上記市販のディスクはＤＶＤプレーヤ、ＤＶＤレコーダ等の映像再生装置（映像記録再生装置を含む）により再生され、その再生映像が映像再生装置に内蔵の或いは映像再生装置に接続された液晶ディスプレイ装置等に画面表示される。
【０００４】
その際、再生表示される初期のメニュー画面や番組（タイトル）のメニュー画面等には、再生音声の言語や字幕の有無等の再生条件の選択や分岐決定等をユーザ（視聴者）が行なうための項目選択のボタン（ハイライトボタン）が含まれる（例えば、特許文献１参照）。
【０００５】
又、字幕有りが選択されたときには、再生中の番組画面の隅等に字幕の文字が重ねて表示される。
【０００６】
ところで、上記項目選択のボタンや字幕は前記記録情報にサブピクチャ（副映像）として含まれ、そのハイライト色や文字色の情報は前記記録情報にナビゲーション情報として含まれる。
【特許文献１】特開２００４−１３３４９９号公報（段落［０００３］−［０００６］、［００２２］−［００２７］、図１〜図４）
【発明の開示】
【発明が解決しようとする課題】
【０００７】
前記従来装置の場合、ディスクの再生時に画面表示される項目選択のハイライト色や字幕の文字色はディスクから再生された記録情報によって定まるため、前記項目選択のハイライト色や字幕の文字色を好みの色にしたいというユーザの要求に応えることができない。又、メニュー画面や番組画面の背景画色によっては、前記項目選択のハイライト色や字幕の文字色が目立ちにくく、分かりづらい事態が生じることがある。
【０００８】
本発明は、ディスクから再生されて画面表示される項目選択のハイライト色や字幕の文字色が、ユーザの好みや背景画色に応じてディスクに記述された規定色から変わるようにして、項目選択のハイライト色や字幕の文字色の表示性能を向上することを目的とする。
【課題を解決するための手段】
【０００９】
上記した目的を達成するために、本発明の映像再生装置は、ＤＶＤビデオ形式で記録されたディスクを再生する映像再生装置において、前記ディスクの再生信号から前記ディスクの記録情報をデコードするデコーダと、前記記録情報から映像信号を再生する映像再生処理手段と、前記記録情報に含まれた項目選択のハイライト色、字幕の文字色の少なくともいずれか一方の色情報を検出する色検出手段と、操作設定された項目選択のハイライト色、字幕の文字色の少なくともいずれか一方の色情報を指定色情報として書き換え自在に保持する指定色記憶手段と、前記色検出手段が検出した色情報を前記指定色記憶手段の前記指定色情報に置換し、前記映像信号の前記項目選択のハイライト色、前記字幕の文字色少なくともいずれか一方を前記指定色情報の色に制御する色置換手段とを備えたことを特徴としている（請求項１）。
【００１０】
又、本発明の映像装置は、ＤＶＤビデオ形式で記録されたディスクを再生する映像再生装置において、前記ディスクの再生信号から前記ディスクの記録情報をデコードするデコーダと、前記記録情報から映像信号を再生する映像再生処理手段と、前記記録情報に含まれた項目選択のハイライト色、字幕の文字色の少なくともいずれか一方の色情報を検出する色検出手段と、前記記録情報に含まれたサブピクチャの背景画の色情報から背景画色を判定し、前記背景画色に対して予め設定された目立つ色の指定色情報を決定する指定色決定手段と、前記色検出手段が検出した色情報を前記指定色決定手段が決定した前記指定色情報に置換し、前記映像信号の前記項目選択のハイライト色、前記字幕の文字色の少なくともいずれか一方を前記指定色情報の色に制御する色置換手段とを備えたことを特徴としている（請求項２）。
【００１１】
次に、本発明の映像再生装置の表示色制御方法は、ＤＶＤビデオ形式で記録されたディスクの再生時に、前記ディスクの再生信号から記録情報をデコードし、前記記録情報に含まれた項目選択のハイライト色、字幕の文字色の少なくともいずれか一方の色情報を検出し、検出した色情報を指定色記憶手段に書き換え自在に保持された指定色情報に置換し、前記記録情報から再生される映像信号の前記項目選択のハイライト色、字幕の文字色の少なくともいずれか一方を前記指定色情報の色に制御することを特徴としている（請求項３）。
【００１２】
又、本発明の映像再生装置の表示色制御方法は、ＤＶＤビデオ形式で記録されたディスクの再生時に、前記ディスクの再生信号から記録情報をデコードし、前記記録情報に含まれた項目選択のハイライト色、字幕の文字色の少なくともいずれか一方の色情報を検出し、前記記録情報に含まれたサブピクチャの背景画の色情報から背景画色を判定し、前記背景画色に対して予め設定された目立つ色の指定色情報を決定し、検出した色情報を前記指定色情報に置換して前記記録情報から再生される映像信号の前記項目選択のハイライト色、前記字幕の文字色の少なくともいずれか一方を前記指定色情報の色に制御することを特徴としている（請求項４）。
【発明の効果】
【００１３】
請求項１及び請求項３の発明によれば、項目選択のハイライト色、字幕の文字色の少なくともいずれか一方の色につき、ユーザが操作設定した好みの色の色情報が指定色情報として指定色記憶手段に書き換え自在に保持される。そして、ディスクの再生時、ディスクの再生信号をデコードして得られたディスクの記録情報から、該記録情報に含まれた項目選択のハイライト色、字幕の文字色の少なくともいずれか一方の色情報が検出される。更に、検出した色情報が指定色記憶手段の指定色情報に置換され、前記記録情報から再生される映像信号の前記項目選択のハイライト色、前記字幕の文字色の少なくともいずれか一方の色が指定色情報の色に制御される。
【００１４】
したがって、ディスクから再生されて画面表示される項目選択のハイライト色、字幕の文字色の少なくともいずれか一方を、ユーザの好みに応じてディスクに記述された規定色から変えることができ、前記項目選択のハイライト色や前記字幕の文字色の表示性能を向上することができる。
【００１５】
又、請求項２及び請求項４の発明によれば、ディスクの再生時、ディスクの再生信号をデコードして得られたディスクの記録情報から、該記録情報に含まれた項目選択のハイライト色、字幕の文字色の少なくともいずれか一方の色情報が検出される。又、前記記録情報に含まれたサブピクチャの背景画の色情報から背景画色が判定される。
【００１６】
そして、判定された背景画色に対して予め設定された目立つ色の情報が指定色情報として決定され、検出された項目選択のハイライト色、字幕の文字色の少なくともいずれか一方の色情報が指定色記憶手段の指定色情報に置換され、前記記録情報から再生される映像信号の前記項目選択のハイライト色、前記字幕の文字色の少なくともいずれか一方の色が指定色情報の目立つ色に制御される。
【００１７】
したがって、ディスクから再生されて画面表示される項目選択のハイライト色、字幕の文字色の少なくともいずれか一方の色を、ディスクに記述された規定色から背景画色に応じた目立つ色に変えることができ、項目選択のハイライト色や字幕の文字色の表示性能を向上することができる。
【発明を実施するための最良の形態】
【００１８】
つぎに、本発明をより詳細に説明するため、その実施形態について、図１乃至図５にしたがって詳述する。
【００１９】
（一実施形態）
まず、請求項１、３の発明に対応する一実施形態について、図１乃至図３を参照して説明する。
【００２０】
図１は本発明の映像再生装置１の一例の映像処理の回路構成を示したブロック図、図２は動作説明用のフローチャート、図３はハイライトの色を設定する画面の説明図である。
【００２１】
図１の映像再生装置１はＤＶＤビデオの再生機能を備えたＤＶＤプレーヤ或いはＤＶＤレコーダであり、再生対象のディスク２は、例えばＤＶＤビデオ形式で映画等が記録された市販のＤＶＤである。
【００２２】
そして、ディスクローディングによる自動再生制御又は操作部３の再生操作により、ディスク２の再生状態になると、予め設定された制御プログラムに基づいて映像再生装置１全体を制御するマイクロコンピュータ構成のシステム制御処理部４が、装置内各部をディスク再生状態に制御する。
【００２３】
このとき、周知のＤＶＤプレーヤやＤＶＤレコーダと同様、ターンテーブル上の回転するディスク２の記録はピックアップ部５の光ピックアップにより読み取られ、ピックアップ部５からデコーダ６にディスク２の時々刻々の再生信号（ＲＦ信号）が出力される。
【００２４】
そして、デコーダ６はＤＶＤ再生制御部７の制御により前記再生信号に周知のＭＰＥＧ２のデジタル信号再生処理を施し、ディスク２の記録情報をストリーム分離して得られたメインピクチャ（主映像）、サブピクチャ（副映像）の映像情報をデコード（復号）して映像再生処理部８に送る。
【００２５】
尚、メインピクチャ（主映像）はディスク２に記録されている各番組（タイトル）の映画等の主に動画の本編の映像情報であり、サブピクチャ（副映像）は各メニュー画面の背景画の映像情報や、メニュー画面、字幕画面等のハイライトや字幕の映像情報など主に静止画の映像情報である。又、前記ストリーム分離によって得られた音声情報は図示省略した音声のデコーダによってデコードされる。
【００２６】
映像再生処理部８はメインピクチャ（主映像）、サブピクチャ（副映像）の映像情報を重畳合成して映像信号に加工し、ディスク２の記録情報の映像信号を再生して表示出力部９に送る。
【００２７】
表示出力部９は、映像再生処理部８から入力された映像信号と、ＯＳＤ制御部１０から入力されたオンスクリ−ンディスプレイ（ＯＳＤ）の映像信号とを重畳合成して出力の映像信号を形成し、該出力の映像信号を、映像再生装置１に接続されたディスプレイ装置１１に供給して画面表示する。
【００２８】
尚、映像再生処理部８が本発明の映像再生処理手段を形成する。又、音声情報から再生された音声信号は例えばディスプレイ装置１１のスピーカから出力される。
【００２９】
そして、デコーダ６、ＤＶＤ再生制御部７、映像再生処理部８、ＯＳＤ制御部１０及び、後述するサブピクチャ監視部１２、ＤＶＤ管理情報解析部１３等は、ハードウエア回路で構成してもよいが、本実施形態の場合、システム制御処理部４と同様に、マイクロコンピュータのソフトウエアで実現されている。
【００３０】
つぎに、ディスク２の記録情報について説明する。
【００３１】
ディスク２の記録情報は、ＤＶＤビデオ（ＤＶＤ‐Ｖｉｄｅｏ）規格の周知の階層構造フォーマットの情報であり、先頭のビデオマネージャ（ＶＭＧ）と、それに続く、映画等の各番組（タイトル）のビデオタイトルセット（ＶＴＳ）で構成される。
【００３２】
そして、ＶＭＧはディスク２の全体の制御情報（ＶＭＧＩ）及び、初期表示のメニュー画面の背景画やメニュー選択のボタンのサブピクチャのビデオオブジェクトセット（ＶＯＢＳ）を含む。
【００３３】
又、ＶＭＧに続く各ＶＴＳはそれぞれ先頭に、番組別のメニュー画面のビデオタイトルセットメニュー（ＶＴＳＭ）及びビデオオブジェクトセット（ＶＯＢＳ）と、それらの再生のプログラムチェーン（ＰＧＣ）の情報等の制御情報が記述されたビデオタイトルセットインフォーメーション（ＶＴＳＩ）とを有し、その後に番組のメインピクチャ、音声、項目選択のボタンや字幕等のサブピクチャの情報の複数セル構成のビデオオブジェクトセット（ＶＯＢＳ）が続く。
【００３４】
そして、各番組等のメインピクチャ、サブピクチャ、音声の情報は、ＶＭＧＩのストリーム制御の情報にしたがってＤＶＤ再生制御部７が記録情報からストリーム分離する。
【００３５】
又、初期表示のメニュー画面や各番組のメニュー画面等に表示される項目選択のボタンのサブピクチャ及び、字幕有りの選択にしたがって生成される各番組の字幕のサブピクチャについては、図１のサブピクチャ監視部１２がデコーダ６のサブピクチャのデコード処理を監視する。更に、図１のＤＶＤ管理情報解析部１３は、項目選択のハイライト色については、ＶＭＧや、ＶＴＳの各セルのナビゲーションパックが形成するナビゲーション情報に含まれた前記項目選択のハイライト色の情報（ハイライト情報）を解析して検出する。又、字幕については、ＶＯＢＳに字幕のプレゼンテーションデータとして含まれるサブピクチャユニット（ＳＰＵ）のサブピクチャ表示制御シーケンステーブル（ＳＰ＿ＤＣＳＱＴ）のサブピクチャ表示に関するナビゲーション情報に、字幕のピクセルデータの色コードや表示領域が記述され、前記色コードが字幕の文字色を定めるため、ＤＶＤ管理情報解析部１３は、前記サブピクチャ表示に関するナビゲーション情報の字幕のピクセルデータの色コードを解析して字幕の文字色の情報を検出する。尚、サブピクチャ監視部１２が本発明の色検出手段である。
【００３６】
そして、図１の書き換え自在の不揮発性のメモリ１４に項目選択のハイライト色、字幕の文字色の後述する指定色情報が保持されていない場合は、ＤＶＤ再生制御部７が、ディスク２から再生された項目選択のボタンのハイライト色や字幕の文字色を、ディスク２から再生された情報に基づく本来の（規定の）ハイライト色、文字色に制御する。
【００３７】
尚、メモリ１４が本発明の指定色記憶手段を形成する。又、前記項目選択のハイライト色の情報は選択色、決定色（アクションカラー）の色及びコントラストのパレットを指定するコードを含み、これらのコードの設定に基づき、画面表示される項目選択のハイライト色は、番組や音声言語等の選択前には選択色になり、選択して決定すると、決定色に変る。
【００３８】
一方、本実施形態においては、ディスク２の再生前等にユーザが操作部３を操作してディスク再生条件等の設定モードを選択すると、システム制御処理部４が設定モードのプログラムを実行し、設定メニューの画面表示をＯＳＤ制御部１０に指令する。
【００３９】
そして、設定メニューに「色情報設定メニュー」が含まれ、ユーザは前記項目選択のハイライト色、字幕の文字色のいずれか一方又は両方を所望色にしたい場合、操作部３を更に操作し、ディスプレイ装置１１に例えば図３の「色情報設定メニュー」の画面Ｐを表示し、映像再生装置１をハイライト色・字幕の文字色の色情報設定の状態にする。
【００４０】
尚、図３は前記項目選択のハイライト色、前記字幕の文字色の両方の色を指定して設定可能な場合の表示画面例である。
【００４１】
そして、画面Ｐの上部には項目選択のボタン、字幕の文字色の色番号（色コードに対応）、コントラスト番号（コントラストコードに対応）の入力窓Ｗが設けられ、その下に、各色と対応する番号の一覧α及びコントラストの各段階の明るさと対応する番号の一覧βが表示されている。
【００４２】
ユーザはそれらの一覧α、βを参照しながら操作部３の番号キーを操作して好みの色、コントラストの番号を各入力窓Ｗに入力し、入力した色番号、コントラスト番号でよければ、画面右下の「決定」のボタンＡにカーソル表示（図示せず）を合わせてクリックする。尚、色番号、コントラスト番号の入力をやり直すか取り消すときには、「取消し」のボタンＢにカーソル表示を合わせてク各入力窓Ｗの内容をクリアし、再度、色番号、コントラスト番号を各入力窓Ｗに入力する。
【００４３】
そして、ボタンＡにカーソル表示（図示せず）を合わせてクリックすることで、システム制御処理部４は、例えば内蔵のＲＯＭ等に保持した各色コード、各コントラストコードから、各入力窓Ｗの番号に対応した色コード、コントラストコードを読み出し、これらの色コード、コントラストコードを、ＤＶＤ再生制御部７を介してメモリ１４に操作設定された項目選択のハイライト色、字幕の文字色の少なくともいずれか一方の色情報、すなわち指定色情報譲として、書き換え自在に書き込んで保持する。このとき、映像再生装置１はハイライト色情報設定の状態が解除される。
【００４４】
尚、前記項目選択のハイライト色、前記字幕の文字色のいずれか一方のみの指定が行なえる場合は、「色情報設定メニュー」の画面が、図３のメニュー選択のボタンの入力窓Ｗと一覧α、又は、図３の字幕の入力窓Ｗと一覧βの画面になり、それらの画面の表示に基づき、前記と同様にして項目選択のハイライト色、又は、前記字幕の文字色の色コード、コントラストコードをメモリ１４に指定色情報として書き換え自在に書き込んで保持する。
【００４５】
次に、本実施形態においては、ＤＶＤ再生制御部７が本発明の色置換手段を形成し、メモリ１４に指定色情報が書き込まれて保持された状態でディスク２の各番組を再生すると、ＤＶＤ再生制御部７が形成する色置換手段は、色検出手段としてのＤＶＤ管理情報解析部１３が検出した項目選択のハイライト色や字幕の文字色の色情報としての色コード、コントラストコードを、指定色記憶手段としてのメモリ１４の指定色情報の色コード、コントラストコードに置換し、前記出力映像信号の項目選択のボタンのハイライト色や字幕の文字色をユーザ指定の色に制御する。
【００４６】
したがって、メモリ１４に指定色情報が書き込まれて保持された状態でディスク２の各番組を再生すると、映像再生装置１は図２のステップＳ１〜Ｓ９の手順で初期表示のメニュー画面や各番組のメニュー画面及び本編を再生する。
【００４７】
この場合、ＤＶＤ再生制御部７はＶＭＧのデコードを検出すると、図２のステップＳ１からステップＳ２に移行し、ＤＶＤ管理情報解析部１３の検出結果から、前記したようにしてディスク２の初期表示のメニュー画面の記録情報に項目選択のハイライト色、字幕の文字色の色情報が含まれているか否かを判断する。
【００４８】
そして、前記色情報が含まれていると、ステップＳ３に移行してＤＶＤ再生制御部７は、メモリ１４に保持されている項目選択のハイライト色、字幕の文字色それぞれの指定色情報の色コード、コントラストコードを読み出し、ディスク２の記録情報から分離してデコードされた項目選択のボタン、字幕それぞれのサブピクチャのハイライトの色コード、コントラストコードを、前記指定色情報の色コード、コントラストコードに置換する。
【００４９】
更に、ステップＳ４に移行し、映像再生処理部８により、デコーダ６によってデコードされた初期表示のメニュー画面の背景画のサブピクチャの映像信号に、ユーザ指定のハイライト色に置換した項目選択のボタンのサブピクチャの映像信号、ユーザ指定の文字色に置換した字幕のサブピクチャの映像信号を重畳合成し、項目選択のハイライト色、字幕の文字色の少なくともいずれか一方をユーザ指定の色にした初期表示のメニュー画面をディスプレイ装置１１に表示する。
【００５０】
そして、ステップＳ４からステップＳ５を通ってステップＳ１に戻り、各番組の再生に進み、デコーダ６がＶＴＳをデコードすると、ステップＳ１からステップＳ６を通ってステップＳ７に移行し、ステップＳ７〜Ｓ９によりステップＳ２、Ｓ３と同様にしてディスプレイ装置１１に各番組のメニュー画面及び本編を再生表示し、それらの項目選択のハイライト色、字幕の文字色の少なくともいずれか一方をユーザ指定の色にする。
【００５１】
したがって、ディスク２から再生されて画面表示される項目選択のハイライト色、字幕の文字色の少なくともいずれか一方を、ユーザの好みに応じてディスク２に記述された規定色から自在に変えることができ、項目選択のハイライト色や字幕の文字色の表示性能を向上することができる。
【００５２】
尚、字幕は字幕有りに設定されているときにのみ表示される。又、ディスク２の再生の終了によりメモリ１４の記憶の消去等の初期化処理が行なわれる。
【００５３】
そして、項目選択のハイライト色、字幕の文字色のいずれか一方のみをユーザ指定の色で表示可能にする構成の場合は、両方をユーザ指定の色で表示可能に構成する場合に比して制御や処理の簡素化等が図られる。
【００５４】
（他の実施形態）
次に、請求項２、４の発明に対応する他の実施形態について、図１及び図４、図５を参照して説明する。
【００５５】
図４は動作説明のフローチャート、図５は図４のメニュー画面の背景色の情報検出の詳細なフローチャートである。
【００５６】
本実施形態の映像再生装置が、前記一実施形態の図１の映像再生装置１と異なる点は、ＤＶＤ再生制御部７が、ディスク２から再生された記録情報に含まれたサブピクチャの背景画の色情報から背景画色を判定し、背景画色に対して予め設定された目立つ色の指定色情報を決定してメモリ１４に書き換え自在に保持する指定色決定手段と、色検出手段としてのＤＶＤ管理情報解析部１３が検出した色情報を前記指定色決定手段がメモリ１４に保持された指定色情報に置換し、映像信号の前記項目選択のハイライト色、前記字幕の文字色の少なくともいずれか一方をメモリ１４の指定色情報の色に制御する色置換手段とを備える点である。
【００５７】
そして、前記サブピクチャの背景画は、具体的には初期表示のメニュー画面、各番組のメニュー画面の背景画である。それらの背景画は、各番組のメインピクチャの動画の１シーン等であることが多く、メインピクチャの主たる背景画と共通する。しかも、それらの背景画に対して目立つ色は、各番組の本編の再生中にも目立つ色になることが多いと考えられるからである。
【００５８】
ところで、前記各メニュー画面のサブピクチャの背景画は、一般に静止画の画像データである。そこで、前記指定色決定手段は、初期表示のメニュー画面、各番組のメニュー画面の背景画それぞれのサブピクチャの画像データにつき、基本的には、色、コントラストを画素単位で検出して平均し、その平均の色、コントラストから背景画色を判定する。
【００５９】
しかしながら、前記画素単位の検出を背景画の全体について行なうと、その処理負担が多く、時間を要するため、本実施形態においては、背景画の設定された複数領域についてのみ選択的に前記画素単位の検出を行なう。各領域は、簡単には背景画の項目選択のボタンや字幕の文字が表示され易いと考えられる領域であって実験等によって設定された領域であるが、項目選択のボタンや字幕の文字の属性情報から検出して設定されたそれらの表示領域であってもよい。又、前記平均の処理は、具体的には多数決処理であり、最も多く出現した色を平均の色とする。
【００６０】
次に、上記の判定によって検出した背景画色に対して目立つ色の指定色情報は、例えば予め選定した複数の基準色に対して実験等で定めた目立つ色の色コード、コントラストコードであり、これらのコードの色情報を記憶保持しておき、背景画色に近い基準色に対して設定された目立つ色の前記色情報を選択して決定する。
【００６１】
そして、ディスク２を再生する際、本実施形態の映像再生装置は図４のステップＱ１〜Ｑ１１の手順で初期表示のメニュー画面や各番組のメニュー画面及び本編を再生する。
【００６２】
すなわち、ＤＶＤ再生制御部７はＶＭＧのデコードを検出すると、図２のステップＳ１と同様の図４のステップＱ１から、図２のステップＳ２と同様の図４のステップＱ２に移行し、ＤＶＤ管理情報解析部１３の検出結果から、前記したようにしてディスク２の初期表示のメニュー画面の記録情報に項目選択のハイライト色、字幕の文字色の少なくともいずれか一方の色情報が含まれているか否かを判断する。
【００６３】
そして、前記項目選択のハイライト色、前記字幕の文字色の少なくともいずれか一方の色情報が含まれていると、図４のステップＱ３に移行し、ＤＶＤ再生制御部７の前記指定色決定手段が、図５のステップＺ１〜Ｚ３の背景画色の検出処理を実行する。
【００６４】
ステップＺ１では、初期表示のメニュー画面の背景画のサブピクチャにつき、設定された複数領域それぞれの例えば一定画素毎の指定画素についてのみ、例えばＲＧＢの３原色のレベルとコントラストを色情報として抽出する。次に、ステップＺ２では、抽出した全ての指定画素の色情報から、多数決処理によって、最も出現したレベル、コントラストの組み合わせの色を求める。更に、ステップＺ３により、ステップＺ２で求めた色を初期表示のメニュー画面の背景画色に決定する。
【００６５】
そして、決定した背景画色に対して予め設定された目立つ色の色コード、コントラストコードを指定色情報としてメモリ１４に書き込み、図４のステップＱ３の処理を終了する。
【００６６】
次に、図２のステップＳ３、Ｓ４に相当する図４のステップＱ４、Ｑ５により、メモリ１４に保持されている指定色情報の色コード、コントラストコードを読み出し、ディスク２の記録情報から分離してデコードされた項目選択のボタンのハイライト色、字幕の文字色の少なくともいずれか一方の色コード、コントラストコードを、それぞれの前記指定色情報の色コード、コントラストコードに置換し、映像再生処理部８により、デコーダ６によってデコードされた初期表示のメニュー画面の背景画のサブピクチャの映像信号に、指定色情報のハイライト色に置換した項目選択のボタンの映像信号、指定色情報の文字色に置換した字幕の文字のサブピクチャの映像信号を重畳合成し、前記項目選択のハイライト色、前記字幕の文字色の少なくともいずれか一方を背景画色に対して目立つ色に自動補正した初期表示のメニュー画面をディスプレイ装置１１に表示する。
【００６７】
そして、ステップＱ５からステップＱ６を通ってステップＱ１に戻り、各番組の再生に進み、デコーダ６がＶＴＳをデコードすると、ステップＱ１からステップＱ７を通ってステップＱ８に移行し、ステップＱ８〜Ｑ１１によりステップＱ２〜Ｑ５と同様にしてディスプレイ装置１１に各番組のメニュー画面及び本編を再生表示し、それらの前記項目選択のハイライト色、前記字幕の文字色の少なくともいずれか一方を背景画色に対して目立つ色にする。
【００６８】
したがって、ディスク２から再生されて画面表示される前記項目選択のハイライト色、前記字幕の文字色の少なくともいずれか一方が、背景画色に応じてディスク２に記述された規定色から目立つ色に自動的に変わり、前記項目選択のハイライト色や前記字幕の文字色の表示性能を向上することができる。
【００６９】
そして、本発明は上述した両実施形態に限定されるものではなく、その趣旨を逸脱しない限りにおいて上述したもの以外に種々の変更を行うことが可能であり、例えば、前記一実施形態の表示色制御の構成と前記他の実施形態の表示色制御の構成とを備え、両制御をユーザが選択して行なえるようにしてもよい。
【００７０】
又、例えば一実施形態のユーザが選択可能な項目選択のハイライト色や字幕の文字色として、点滅する色を含めてもよい。
【００７１】
更に、装置内各部の構成等が前記両実施形態と異なっていてもよいのは勿論である。又、前記一実施形態の指定色情報を設定する画面の構成等はどのようであってもよく、前記他の実施形態において、背景画色の検出手法は背景画のデータ構造等に応じて種々に設定すればよい。次に、前記項目選択のボタンの形状や画面上の表示位置、表示個数等はどのようであってもよい。又、前記字幕の文字の大きさや書体等もどのようであってもよい。
【００７２】
そして、本発明は、ＤＶＤビデオ形式で記録された種々のディスクを再生する映像再生装置の項目選択のハイライト色や字幕の文字色の制御に適用することができる。
【図面の簡単な説明】
【００７３】
【図１】本発明の一実施形態の映像再生装置の映像処理のブロック図である。
【図２】図１のディスク再生時の表示色制御のフローチャートである。
【図３】図１の項目選択のハイライト色、字幕の文字色を指定して設定する画面の説明図である。
【図４】本発明の他の実施形態のディスク再生時の表示色制御のフローチャートである。
【図５】図４の背景画色検出の詳細なフローチャートである。
【符号の説明】
【００７４】
２    ディスク
３    操作部
４    システム制御処理部
６    デコーダ
７    ＤＶＤ再生制御部
８    映像再生処理部
１０    ＯＳＤ制御部
１２    サブピクチャ監視部
１３    ＤＶＤ管理情報解析部
１４    メモリ
【図１】
2008199401.tif 000003
【図２】
2008199401.tif 000004
【図３】
2008199401.tif 000005
【図４】
2008199401.tif 000006
【図５】
2008199401.tif 000007